(57)【要約】【課題】１つの部材で構成され、軽量・安価で携帯性・耐久性に優れ、且つ、片手でも応援等に十分な音を出すことができるスポーツ観戦用道具を提供することを目的とする。【解決手段】本発明に係るスポーツ観戦用道具は、板状紙部材を用いて形成した扇状の本体（１）と、該本体の狭端部から広端部に向かい放射状に伸びる一定の間隔を保って引かれた複数本の折罫（ＦＬ）と、該本体の一端部に設けられた差込片（１ａ）と、該本体の中途に設けられた差込スリット（１ｂ）と、該本体の他端部から少なくとも１本の折罫（ＦＬ）を跨って折罫（ＦＬ）と略直交に設けられた鳴子用スリット部から構成され、該鳴子用スリット部によって切り離された鳴子部を本体に打ち付けることにより、鳴子とし、又は、メガホンとして使用する。  さらに、本発明に係るスポーツ観戦用道具は、本体の狭端部付近に滑り止め用係止孔（１ｃ）を複数個設け、鳴子とし、又は、メガホンとして使用する。【選択図】図２
2012003291.tif 000002
【特許請求の範囲】
【請求項１】
板状紙部材を用いて形成した扇状の本体と、該本体の狭端部から広端部に向かい放射状に伸びる一定の間隔を保って引かれた複数本の折罫と、該本体の一端部に設けられた差込片と、該本体の中途に設けられた差込スリットと、該本体の他端部から少なくとも１本の折罫を跨って折罫と略直交に設けられた鳴子用スリット部を備え、該鳴子用スリット部によって切り離された鳴子部を本体に打ち付けることにより、鳴子とし、又は、メガホンとして使用する事を特徴とするスポーツ観戦用道具。
【請求項２】
前記本体の狭端部付近に滑り止め用係止孔を複数個設けたことを特徴とする請求項１記載のスポーツ観戦用道具。
【発明の詳細な説明】
【技術分野】
【０００１】この発明は、紙製のスポーツ観戦用道具に関するものである。
【背景技術】
【０００２】従来、野球場等でスポーツ観戦の際に、応援用道具としてプラスチック製のメガホンが多く使用されているが、昨今、環境への配慮から、紙製の応援用道具が注目されている。【０００３】そんな中で、音を出すことができる紙製スポーツ観戦用道具の提案がされている。例えば、特許文献１で示す発明では、扇状の本体と、別部材の入り子を該本体の内側に連結させて設け、該入り子を本体に打ち付けることで音を発生させている。しかし、これは部材が複数なため、組み立てに手間が掛かり、また、製造・運搬・在庫の際等も嵩張り、コストが掛かってしまう。【０００４】そこで、１つの部材で構成された音を出すことができる紙製スポーツ観戦用道具が提案されている。例えば、特許文献２で示す発明では、扇状の本体に、折罫と略平行に設けられたスリットによって形成される共振板を設け、該共振板を本体の内側に遊動可能に配置し、該共振板が本体の内面に当たることで音を発生させている。
【先行技術文献】
【特許文献】
【０００５】
【特許文献１】特開２００２−２９７１４５
【特許文献２】特開２００３−３１６３６１
【発明の概要】
【発明が解決しようとする課題】
【０００６】しかし、上記特許文献２で示す発明において、共振板は本体の狭端部付近に形成されており、前記紙製スポーツ観戦用道具を手で持って振った際に、力点から作用点までの距離が短いため遠心力を十分に受けられず、片手だけでは、応援等に十分な大きさの音は鳴りにくい。このため、上記特許文献２の発明では、段落「００１３」に記載されているように、片手で該紙製スポーツ観戦用道具持ち、他方の手の平等に打ちつけて音を出す必要があり、該紙製スポーツ観戦用道具を使用しながら、他方の手で飲み物や食べ物をつかむことができないという問題がある。【０００７】そこで、本発明は、上記従来の紙製スポーツ観戦用道具が有する問題点を解決することを課題とし、１つの部材で構成され、軽量・安価で携帯性・耐久性に優れ、且つ、片手でも応援等の際に十分な音を出すことができる紙製スポーツ観戦用道具を提供することを目的とする。
【課題を解決するための手段】
【０００８】  本発明に係るスポーツ観戦用道具は、板状紙部材を用いて形成した扇状の本体と、該本体の狭端部から広端部に向かい放射状に伸びる一定の間隔を保って引かれた複数本の折罫と、該本体の一端部に設けられた差込片と、該本体の中途に設けられた差込スリットと、該本体の他端部から少なくとも１本の折罫を跨って折罫と略直交に設けられた鳴子用スリット部から構成され、該鳴子用スリット部によって切り離された鳴子部を本体に打ち付けることにより、鳴子とし、又は、メガホンとして使用する。【０００９】  さらに、本発明に係るスポーツ観戦用道具は、本体の狭端部付近に滑り止め用係止孔を複数個設け、鳴子とし、又は、メガホンとして使用する。
【発明の効果】
【００１０】  この発明の効果として、本発明に係るスポーツ観戦用道具は、１つの紙製板状部材から構成されるため、製造及び運搬・在庫の際等に、嵩張らずコスト削減が可能で、また、シート状に展開出来る為、シート自体への印刷が可能で、配られた消費者に対する効果的な宣伝・ＰＲ等をすることが可能である。【００１１】  また、鳴子用スリット部が折罫と略直交に設けられているため、鳴子部についても折罫と略直交方向に長く形成され、前記スポーツ観戦用道具の本体内部での可動域が最大限にとれ、さらに、該鳴子部が本体の狭端部から遠く離れた本体の広端部側に形成されているため、該スポーツ観戦用道具を手で持って振った際に、力点から作用点までの距離が最長とすることができ、最大の遠心力を受け、該鳴子部が該本体に強く打ち付けることができる。従って、片手で応援等に十分な音を出すことができる。
【図面の簡単な説明】
【００１２】
【図１】この発明の一実施例を示し、（Ａ）は段ボール紙製スポーツ観戦用道具の平面図で、（Ｂ）は正面図である。
【図２】この発明の一実施例を示し、段ボール紙製スポーツ観戦用道具の斜視図である。
【図３】この発明の一実施例を示し、段ボール紙製のスポーツ観戦用道具の展開図である。
【図４】この発明の一実施例を示し、厚紙製のスポーツ観戦用道具の（Ａ）は平面図で、（Ｂ）は正面図で、（Ｃ）は底面図である。
【図５】この発明の一実施例を示し、厚紙製のスポーツ観戦用道具の展開図である。
【図６】この発明の一実施例を示し、厚紙製のスポーツ観戦用道具の（Ａ）は平面図で、（Ｂ）は正面図で、（Ｃ）は底面図である。
【図７】この発明の一実施例を示し、厚紙製のスポーツ観戦用道具の展開図である。
【図８】この発明の一実施例を示し、截頭円錐状紙製スタンドの（Ａ）は平面図で、（Ｂ）は正面図で、（Ｃ）は展開図である。
【図９】この発明の使用例を示し、耐油紙製袋の中にポテトチップス等のお菓子を入れ、截頭円錐状紙製スタンドに立てた状態を示した正面図である。
【発明を実施するための形態】
【実施例１】
【００１３】  そこで、この発明の一実施例を図１〜図３に基づいて詳述すると、図１（Ａ）は段ボール紙製スポーツ観戦用道具の平面図で、（Ｂ）は正面図である。又、図２は段ボール紙製スポーツ観戦用道具の斜視図で、図３は段ボール紙製スポーツ観戦用道具の展開図である。【００１４】  又、前記段ボール紙製スポーツ観戦用道具はメガホンと鳴子と扇子と看板の４種類の機能を有し、図３の展開図の所定角度（α１）の広角部材から成るメガホン部（１’）の折罫（ＦＬ）部を折り曲げて逆截頭五角錐状を形成し、且つ、メガホン部（１’）の斜辺部の一方端部に設けた接合用の差込片（１ａ）を他方の略端部に設けた差込スリット（１ｂ）部に挿入締結して固着し、メガホンとして使用する時は、逆截頭五角錐状の下方に設けた滑り止め用係止孔（１ｃ）部を手で握り、五角錐状の截頭部を口に当てて使用する。又、鳴子として使用する時は、前記のメガホン使用時とは逆方向に野球のバットを握る様にして、滑り止め用係止孔（１ｃ）部を手で握り、図１（Ａ）に示す様に、左右又は前後方向に振ると、鳴子片部（１ｅ）（１ｅ）が振動してメガホン部（１’）に接触して「カラカラ」という軽快で心地良い快音を発する。又、扇子や看板として使用する時は、図３に示す様に段ボール紙を完全に広げた状態で使用するものである。扇子として使用する時は、扇状の下端部を手で握り、扇子代わりに使用し、看板として使用する時は、例えば全体を赤色に着色し、文字や図形や記号等を記載したメッセージ入りの看板を、応援する人全員が一斉に同じ動作をして応援すれば壮観な感じを受け、プレーをする選手にやる気を出させ、又、観客側にも一体感が出て来て、球場全体が盛り上がる等の相乗効果を発揮する。
【実施例２】
【００１５】この発明のその他の実施例を、図４（Ａ）（Ｂ）（Ｃ）・図５に基づいて詳述すると、捲回可能な板状紙部材（２）で構成され、且つ、上辺を大円弧とし、下辺を小円弧とする所定角度（α２）の広角部材から成るメガホン部（２’）と所定角度（β２）の鋭角部（２″）と、底板部材（２ｅ）を一体に設けた一枚の略扇形状の台紙を形成し、該台紙の上下方向に台紙を放射状に折り畳むための複数の放射状の折罫部（ＦＬ）をそれぞれ設け、且つ、メガホン部（２’）の斜辺部の一方端部に接合用の差込片（２ａ）と、他方の略端部に前記差込片（２ａ）を挿入締結可能な差込スリット（２ｂ）をそれぞれ形成して設け、且つ、メガホン部（２’）の下方平面部に複数の滑り止め用兼底板係止用孔（２ｃ）をそれぞれ設け、且つ、扇子や看板として使用時は台紙を広げた板状のままで使用し、これらを扇子、又は、扇状の本体に文字、図形、記号等を記載して使用するものである。又、メガホンとして使用時は台紙の折罫（ＦＬ）部をそれぞれ均等に折り曲げ、差込片（２ａ）と差込スリット（２ｂ）を係止して逆截頭五角錐状を形成し、五角錐状の截頭部に口を当てて使用し、飲食物用器として使用時は、台紙の折罫（ＦＬ）部をそれぞれ均等に折り曲げ、差込片（２ａ）と差込スリット（２ｂ）を係止して逆截頭五角錐状を形成し、且つ、台紙の底板部材（２ｅ）の係止用突起部（２ｄ）を滑り止め用兼底板係止用孔（２ｃ）部に挿着して底板を係止して使用するものである。【００１６】このスポーツ観戦用道具は段ボール紙に比較し、やや薄目の板状紙部材（３）で形成され、メガホンや扇子や看板や飲食物用器等の機能を有すものであって、逆截頭五角錐状の内側下部に底板部材（２ｅ）を設けて、その中に耐油紙製袋（ＰＢ）を挿着してポテトチップス等の飲食物（Ｃ）を入れる飲食物用器として使用するものである。
【実施例３】
【００１７】又、その他の実施例を図６（Ａ）（Ｂ）（Ｃ）・図７に基づいて詳述すると、捲回可能なやや薄目の板状紙部材（３）で構成され、且つ、上辺を大円弧とし、下辺を小円弧とする所定角度（α３）の広角部材から成るメガホン部（３’）と所定角度（β３）の鋭角部材から成る鳴子部（３″）と、底板部材（３ｅ）を一体に設けた一枚の略扇形状の台紙を形成し、該台紙の上下方向に台紙を放射状に折り畳むための複数の放射状の折罫部（ＦＬ）をそれぞれ設け、且つ、メガホン部（３’）の斜辺部の一方端部に接合用の差込片（３ａ）と、他方の略端部に前記差込片（３ａ）を挿入締結可能な差込スリット（３ｂ）をそれぞれ形成して設け、且つ、メガホン部（３’）の下方平面部に複数の滑り止め用兼底板係止用孔（３ｃ）をそれぞれ設け、且つ、鳴子部（３″）側の上部の斜辺端部から内方に向けて所定角度（β３）の範囲だけ鳴子用スリット部（３ｇ）を１カ所又は複数箇所形成して設け、且つ、扇子や看板として使用時は台紙を広げた板状のままで使用し、これらを扇子、又は、扇状の本体に文字、図形、記号等を記載して使用するものである。又、メガホンとして使用時は台紙の折罫（ＦＬ）部をそれぞれ均等に折り曲げ、差込片（３ａ）と差込スリット（３ｂ）を係止して逆截頭多角錐状を形成し、多角錐状の截頭部に口を当てて使用し、鳴子として使用時は鳴子片部（３ｆ）（３ｆ）を更に内側方向にそれぞれ折り曲げ、多角錐状の滑り止め用係止孔（３ｃ）部を握り左右又は前後方向に振って音を発生させ、飲食物用器として使用時は、台紙の折罫（ＦＬ）部をそれぞれ均等に折り曲げ、差込片（３ａ）と差込スリット（３ｂ）を係止して逆截頭多角錐状を形成し、且つ、台紙の底板部材（３ｅ）の係止用突起部（３ｄ）を滑り止め用兼底板係止用孔（３ｃ）部に挿着して底板を係止して使用するものである。【００１８】更に、このスポーツ観戦用道具は材質が段ボール紙製である事から、資源ゴミとしてのリサイクルを進める注意書きを表記して、スポーツ観戦者に協力を促すと共に、持ち帰りし易い様に他のグッズ（ペーパークラフト等、家で楽しめるアイテム）と一緒に袋に入れてセット販売し、持ち帰り易い様に工夫すると有効的であり、スポーツを運営する会社及び応援する側のファンや観客のモラルの向上に繋がる。
【実施例４】
【００１９】更に、図８（Ａ）（Ｂ）（Ｃ）は上記のスポーツ観戦用道具（飲食物用器）を挿入設置しておく為の、截頭円錐状紙製スタンド（４）であって、上辺を大円弧とし、下辺を小円弧とする扇形状の台紙を形成し、該台紙の斜辺部の一端部に接合用の差込片（４ａ）と、他端部に前記差込片（４ａ）を挿入締結可能な差込スリット（４ｂ）をそれぞれ形成して設け、且つ、下辺小円弧部に前記紙製グッズの寸法形状に適合した複数のＶ字状の切欠部（４ｃ）（４ｃ）（４ｃ）（４ｃ）（４ｃ）を形成して設け、且つ、使用時は台紙の両端斜辺部に設けた差込片（４ａ）と差込スリット（４ｂ）を締結して截頭円錐状スタンドを形成して設け、該截頭円錐状スタンド（４）の上端穴部（Ｈ）に前記紙製スポーツ観戦用道具を挿入立設するものである。【００２０】この截頭円錐状スタンド（４）の上端穴部（Ｈ）には、スポーツ観戦用道具（飲食物用器）に適合した５箇所のＶ字状の切欠部（４ｃ）（４ｃ）（４ｃ）（４ｃ）（４ｃ）が設けられ、スポーツ観戦時に、例えば上記の飲食物用器（（２）又は（３））を図９に示す様に、截頭円錐状スタンド（４）の穴部（Ｈ）に立てて使用する事で、両手を休める事が出来る。
【産業上の利用可能性】
【００２１】この発明のスポーツ観戦用道具は軽量・安価で持ち運びが簡単で携帯性・耐久性に優れ、且つ、扇子や看板やメガホンや鳴子や飲食物用器等、スポーツ観戦に必要な多くの機能を有する為、多くのスポーツ関係市場に産業上の利用可能性を有する。
【符号の説明】
【００２２】１  扇状の本体
１’  メガホン部
１″  鳴子部
１ａ  差込片
１ｂ  差込スリット
１ｃ  滑り止め用係止孔
１ｄ  鳴子用スリット部
１ｅ  鳴子片部
２  板状紙部材
２’  メガホン部
２″  鋭角部
２ａ  差込片
２ｂ  差込スリット
２ｃ  滑り止め用兼底板係止用孔
２ｄ  係止用突起部
２ｅ  底板部材
３  板状紙部材
３’  メガホン部
３″  鳴子部
３ａ  差込片
３ｂ  差込スリット
３ｃ  滑り止め用兼底板係止用孔
３ｄ  係止用突起部
３ｅ  底板部材
３ｆ  鳴子片部
３ｇ  鳴子用スリット部
４  截頭円錐状紙製スタンド
４ａ  差込片
４ｂ  差込スリット
４ｃ  Ｖ字状の切欠部
Ａ  狭端部
Ｂ  広端部
Ｃ  ポテトチップス等の飲食物
ＦＬ  折罫
Ｈ  穴部
ＰＢ  耐油紙製袋
α１  所定角度（メガホン部）
α２  所定角度（メガホン部）
α３  所定角度（メガホン部）
β１  所定角度（鳴子部）
β２  所定角度（鋭角部）
β３  所定角度（鳴子部）
【図１】
2012003291.tif 000003
【図２】
2012003291.tif 000004
【図３】
2012003291.tif 000005
【図４】
2012003291.tif 000006
【図５】
2012003291.tif 000007
【図６】
2012003291.tif 000008
【図７】
2012003291.tif 000009
【図８】
2012003291.tif 000010
【図９】
2012003291.tif 000011